(57)【要約】【課題】映像表示装置の意匠を簡単に変更することができ、かつ、部品コストの上昇を抑制できる技術を提供することを目的とする。【解決手段】装飾パネルセットは、液晶パネル２０の周縁部を除く部分の前側に配置されるとともに、後端部がフロントパネル５の内周部と着脱可能に構成されたクッション３と、フロントパネル５に着脱可能に取り付けられ、かつ、フロントパネル５の前面を覆う枠状の装飾パネル１と、映像表示装置６の前面を覆うとともに、装飾パネル１に対応する部分が装飾パネル１に着脱可能に取り付けられ、かつ、クッション３に対応する部分がクッション３に固定された透明シート４とを備えている。【選択図】図５
2018054873.tif 000002
【特許請求の範囲】
【請求項１】
表示パネルと、前記表示パネルの周縁部を覆う枠状のフロントパネルと、前記表示パネルの背面を覆うリアパネルとを備えた映像表示装置の意匠を変更するための装飾パネルセットであって、
前記表示パネルの周縁部を除く部分の前側に配置されるとともに、後端部が前記フロントパネルの内周部と着脱可能に構成されたクッションと、
前記フロントパネルに着脱可能に取り付けられ、かつ、前記フロントパネルの前面を覆う枠状の装飾パネルと、
前記映像表示装置の前面を覆うとともに、前記装飾パネルに対応する部分が前記装飾パネルに着脱可能に取り付けられ、かつ、前記クッションに対応する部分が前記クッションに固定された光透過性シートと、
を備えた、装飾パネルセット。
【請求項２】
表示パネルと、前記表示パネルの周縁部を覆う枠状のフロントパネルと、前記表示パネルの背面を覆うリアパネルとを備えた映像表示装置の意匠を変更するための装飾パネルセットであって、
前記表示パネルの周縁部を除く部分における各辺の前側に配置されるとともに、後端部が前記フロントパネルの各辺の内周部と着脱可能に構成された、各辺に対応するクッションと、
前記フロントパネルの各辺に着脱可能に取り付けられ、かつ、前記フロントパネルの各辺の前面を覆う、各辺に対応する装飾パネルと、
前記映像表示装置の各辺の前面を覆うとともに、各前記装飾パネルに対応する部分が各前記装飾パネルに着脱可能に取り付けられ、かつ、各前記クッションに対応する部分が各前記クッションに固定された、各辺に対応する光透過性シートと、
を備え、
前記光透過性シートのうちの前記映像表示装置の下辺を除く辺に対応する光透過性シートは、各前記装飾パネルに対応する部分から後方に折り曲げられた折り曲げ部を有する、装飾パネルセット。
【請求項３】
各前記光透過性シートの前記折り曲げ部に粘着材が設けられた、請求項２記載の装飾パネルセット。
【請求項４】
表示パネルと、前記表示パネルの周縁部を覆う枠状のフロントパネルと、前記表示パネルの背面を覆うリアパネルとを備えた映像表示装置の意匠を変更するための装飾パネルセットであって、
前記表示パネルの周縁部を除く部分における各辺の前側に配置されるとともに、後端部が前記フロントパネルの各辺の内周部と着脱可能に構成された、各辺に対応するクッションと、
前記フロントパネルの各辺に着脱可能に取り付けられ、かつ、前記フロントパネルの各辺の前面を覆う、各辺に対応する装飾パネルと、
前記映像表示装置の各辺の前面を覆うとともに、各前記装飾パネルに対応する部分が各前記装飾パネルに着脱可能に取り付けられ、かつ、各前記クッションに対応する部分が各前記クッションに固定された、各辺に対応する光透過性シートと、
を備え、
各前記クッションは、隣り合うクッション同士が係合するように構成された、装飾パネルセット。
【請求項５】
前記映像表示装置を支持するスタンドの前側部分の平面視輪郭は、前記装飾パネルの内周部の正面視輪郭よりも小さい、請求項１記載の装飾パネルセット。
【発明の詳細な説明】
【技術分野】
【０００１】
本発明は、液晶テレビなどの映像表示装置の意匠を簡単に、かつ、精度良く変更可能な映像表示装置用装飾パネルセットに関するものである。
【背景技術】
【０００２】
従来、液晶テレビなどの映像表示装置の意匠を変更するには、フロントパネルに装飾パネルという別の意匠部材を組み込んで装置の外観にアクセントを持たせている（例えば、特許文献１参照）。または、フロントパネルの樹脂の色自体を変えて、装置の意匠全体の色を変える手法が使用されている。
【０００３】
また、別の方法として、幅の細い帯状のオーナメント部材に金属調の表面処理を施し、このオーナメント部材をフロントパネルに装着することで、水平線のラインを際立たせて意匠にアクセントを持たせる手法もある。さらに、冷蔵庫の例ではあるが、意匠替えの別部品を冷蔵庫本体に取り付ける技術が開示されている（例えば、特許文献２参照）。
【先行技術文献】
【特許文献】
【０００４】
【特許文献１】特許第５５７３７９６号公報
【特許文献２】特許第４２１６４５６号公報
【発明の概要】
【発明が解決しようとする課題】
【０００５】
従来の液晶テレビなどの映像表示装置の意匠を変える手法は、色を変えた後に元に戻したり、さらに別の色に変えたりすることが容易にできないという問題がある。例えば特許文献１に記載の技術では、装飾パネルをフロントパネルに組み込んだ後にリアパネルをフロントパネルに組み付けると、装飾パネルが容易に取り外せない構造となっている。ユーザーが自ら色を変える場合はリアパネルを取り外す必要があり、画面を下側に伏せた状態で映像表示装置を机などの上に置くことになる。そのため、作業スペースが必要になること、および一人では作業がしづらくなるという欠点がある。この状況は映像表示装置の画面サイズが大きくなればなるほど、広い作業スペースと人手が必要になるため、一層深刻な問題となる。以上より、この手法では手軽に映像表示装置の意匠を変えることが困難である。
【０００６】
例えば特許文献２に記載の技術では、構造面に工夫があるもののネジ止めが必要であり、取っ手を一旦扉から外す必要があるため、ユーザーが手軽に映像表示装置の意匠を変えることが困難である。
【０００７】
また、フロントパネルの樹脂の色自体を変えて、意匠全体の色を変える手法では、フロントパネル自体の色が既に決まっており、その色を他の色にさらに変える場合、フロントパネル全体を購入し交換する必要がある。そのため、ユーザー自身では交換作業を行うことができず業者に依頼する必要があり、費用の高額化とその間に映像表示装置を使えないことから日常生活に支障をきたす恐れがある。
【０００８】
さらに、例えばフロントパネルの樹脂の色を黒から白に変えることで、成形機を洗浄する必要が発生し、その際に洗浄用樹脂を大量に使うための部品コストが増加する。また、特殊な色違い製品の計画数量に対して、販売不振による在庫過多になるなど多方面での弊害が発生する。
【０００９】
そこで、本発明は、映像表示装置の意匠を簡単に変更することができ、かつ、部品コストの上昇を抑制できる技術を提供することを目的とする。
【課題を解決するための手段】
【００１０】
本発明に係る装飾パネルセットは、表示パネルと、前記表示パネルの周縁部を覆う枠状のフロントパネルと、前記表示パネルの背面を覆うリアパネルとを備えた映像表示装置の意匠を変更するための装飾パネルセットであって、前記表示パネルの周縁部を除く部分の前側に配置されるとともに、後端部が前記フロントパネルの内周部と着脱可能に構成されたクッションと、前記フロントパネルに着脱可能に取り付けられ、かつ、前記フロントパネルの前面を覆う枠状の装飾パネルと、前記映像表示装置の前面を覆うとともに、前記装飾パネルに対応する部分が前記装飾パネルに着脱可能に取り付けられ、かつ、前記クッションに対応する部分が前記クッションに固定された光透過性シートとを備えたものである。
【発明の効果】
【００１１】
本発明によれば、装飾パネルセットは、表示パネルの周縁部を除く部分の前側に配置されるとともに、後端部がフロントパネルの内周部と着脱可能に構成されたクッションと、フロントパネルに着脱可能に取り付けられ、かつ、フロントパネルの前面を覆う枠状の装飾パネルと、映像表示装置の前面を覆うとともに、装飾パネルに対応する部分が装飾パネルに着脱可能に取り付けられ、かつ、クッションに対応する部分がクッションに固定された光透過性シートとを備えた。
【００１２】
したがって、映像表示装置の意匠を変更する場合、クッションの後端部がフロントパネルの内周部に取り付けられることで、装飾パネルがフロントパネルに取り付けられる。最後に、光透過性シートが装飾パネルから取り外されることで、クッションがフロントパネルから取り外され、装飾パネルのみがフロントパネルに残る。これにより、映像表示装置の意匠を簡単に変更することができる。
【００１３】
また、映像表示装置の意匠を変更するために、フロントパネルに取り付けられる種々の装飾パネルセットを準備すればよく、フロントパネル自体の色を変更する必要はないため、部品コストの上昇を抑制できる。
【図面の簡単な説明】
【００１４】
【図１】実施の形態１に係る装飾パネルセットの分解斜視図である。
【図２】実施の形態１に係る装飾パネルセットの概略断面図である。
【図３】実施の形態１に係る装飾パネルセットを映像表示装置に取り付ける前の状態を示す分解斜視図である。
【図４】実施の形態１に係る装飾パネルセットを映像表示装置に取り付けた後の状態を示す斜視図である。
【図５】実施の形態１に係る装飾パネルセットを映像表示装置に取り付けた後の状態を示す概略断面図である。
【図６】実施の形態１に係る装飾パネルセットの装飾パネルを映像表示装置に取り付けた後の状態を示す斜視図である。
【図７】実施の形態１に係る装飾パネルセットの装飾パネルを映像表示装置に取り付けた後の状態を示す概略断面図である。
【図８】実施の形態２に係る装飾パネルセットの分解斜視図である。
【図９】実施の形態２に係る装飾パネルセットの斜視図である。
【図１０】実施の形態２に係る装飾パネルセットのうち上側のものを映像表示装置に取り付ける途中の状態を示す斜視図である。
【図１１】実施の形態２に係る装飾パネルセットのうち上側のものを映像表示装置に取り付ける途中の状態を示す概略断面図である。
【図１２】実施の形態２に係る装飾パネルセットのうち上側のものについてセパレーターを剥がし映像表示装置に取り付ける途中の状態を示す斜視図である。
【図１３】実施の形態２に係る装飾パネルセットのうち上側のものについてセパレーターを剥がし映像表示装置に取り付ける途中の状態を示す概略断面図である。
【図１４】実施の形態２に係る装飾パネルセットのうち左側のものを映像表示装置に取り付ける途中の状態を示す斜視図である。
【図１５】実施の形態２に係る装飾パネルセットのうち右側のものを映像表示装置に取り付ける途中の状態を示す斜視図である。
【図１６】実施の形態２に係る装飾パネルセットのうち下側のものを映像表示装置に取り付ける途中の状態を示す斜視図である。
【図１７】実施の形態２に係る装飾パネルセットの装飾パネルを映像表示装置に取り付けた後の状態を示す斜視図である。
【図１８】実施の形態３に係る装飾パネルセットの斜視図である。
【図１９】実施の形態３に係る装飾パネルセットのうち上側のものを映像表示装置に取り付ける途中の状態を示す概略断面図である。
【図２０】実施の形態３に係る装飾パネルセットのうち上側のものについてセパレーターを剥がし映像表示装置に取り付ける途中の状態を示す斜視図である。
【図２１】実施の形態３に係る装飾パネルセットのうち上側のものについてセパレーターを剥がし映像表示装置に取り付ける途中の状態を示す概略断面図である。
【図２２】実施の形態４に係る装飾パネルセットの分解斜視図である。
【図２３】実施の形態４に係る装飾パネルセットの斜視図である。
【図２４】実施の形態４に係る装飾パネルセットを映像表示装置に取り付ける前の状態を示す斜視図である。
【図２５】実施の形態４に係る装飾パネルセットを映像表示装置に取り付けた後の状態を示す斜視図である。
【図２６】実施の形態５に係る装飾パネルセットの分解斜視図である。
【図２７】実施の形態５に係る装飾パネルセットを映像表示装置のスタンドに取り付ける前の状態を示す斜視図である。
【図２８】実施の形態５に係る装飾パネルセットを映像表示装置のスタンドに取り付けた後の状態を示す斜視図である。
【図２９】実施の形態５に係る装飾パネルセットを映像表示装置のスタンドに取り付けた後の状態を示す概略断面図である。
【図３０】実施の形態５に係る装飾パネルセットの装飾パネルを映像表示装置のスタンドに取り付けた後の状態を示す斜視図である。
【図３１】実施の形態５に係る装飾パネルセットの装飾パネルを映像表示装置のスタンドに取り付けた後の状態を示す概略断面図である。
【図３２】実施の形態５に係る装飾パネルセットの装飾パネルの打ち抜きイメージを示す斜視図である。
【図３３】実施の形態５に係る装飾パネルセットの装飾パネルの打ち抜きイメージを示す斜視図である。
【発明を実施するための形態】
【００１５】
＜実施の形態１＞
本発明の実施の形態１について、図面を用いて以下に説明する。図１は、実施の形態１に係る装飾パネルセットの分解斜視図である。図２は、装飾パネルセットの概略断面図である。図３は、装飾パネルセットを映像表示装置６に取り付ける前の状態を示す分解斜視図である。図４は、装飾パネルセットを映像表示装置６に取り付けた後の状態を示す斜視図である。図５は、装飾パネルセットを映像表示装置６に取り付けた後の状態を示す概略断面図である。図６は、装飾パネルセットの装飾パネル１を映像表示装置６に取り付けた後の状態を示す斜視図である。図７は、装飾パネルセットの装飾パネル１を映像表示装置６に取り付けた後の状態を示す概略断面図である。
【００１６】
図１〜図７に示すように、装飾パネルセットは、装飾パネル１と、微粘着材２と、クッション３と、光透過性シートとしての透明シート４とを備えている。また、装飾パネルセットは、表示パネルとしての液晶パネル２０と、正面視にて矩形状の液晶パネル２０の周縁部を覆う枠状のフロントパネル５と、液晶パネル２０の背面を覆うリアパネル２１とを備えた映像表示装置６の意匠を変更するための部材である。ここで、映像表示装置６とは、例えば液晶テレビである。
【００１７】
図４と図５に示すように、クッション３は、例えば弾性力のある材料により正面視にて矩形状に形成されている。クッション３の正面視輪郭は、液晶パネル２０の周縁部を除く部分、すなわち、フロントパネル５の内周部の輪郭と略同じ大きさに形成されている。クッション３は液晶パネル２０の周縁部を除く部分の前側に配置されるとともに、クッション３の後端部はフロントパネル５の内周部と着脱可能に取り付けられる。より具体的には、クッション３の後端部は、フロントパネル５の内周部に対して軽圧入により嵌合可能に構成され、フロントパネル５に取り付けた後はユーザーが手を離しても脱落しない構造となっている。
【００１８】
装飾パネル１は、フロントパネル５の前面を覆う枠状に形成されている。装飾パネル１の後面には、セパレーター１ａを剥がして使用される粘着材１ｂが取り付けられている。これにより、装飾パネル１は、粘着材１ｂを介してフロントパネル５に着脱可能に取り付けられる。なお、装飾パネル１は、例えばシート状の部材、プラスチックの薄板、または、プラスチックまたは金属材料の押出し部材などで形成されているものとする。
【００１９】
透明シート４は、透過性を有する材料により形成されている。また、透明シート４は、映像表示装置６の前面を覆うことが可能に、正面視にて映像表示装置６の前面よりも大きな矩形状に形成されている。透明シート４における装飾パネル１に対応する部分の後面には、微粘着材２が取り付けられ、透明シート４は装飾パネル１に対応する部分が装飾パネル１の前面に着脱可能に取り付けられる。また、透明シート４におけるクッション３に対応する部分の後面には、粘着材３ａが取り付けられ、透明シート４はクッション３に対応する部分がクッション３の前面に固定されている。クッション３は、透明シート４が映像表示装置６の前面を覆った状態で弛まないように保持するのに必要な厚みを有している。
【００２０】
また、装飾パネル１の粘着材１ｂとして、フロントパネル５に多用されるプラスチックに対して移行性のない材質を選ぶことで、フロントパネル５への糊残りなどの問題を解消することができる。透明シート４と装飾パネル１との間に配置される微粘着材２として、装飾パネル１の粘着材１ｂよりも粘着強度が弱いものが選定されている。なぜならば、フロントパネル５に装飾パネル１を取り付けた後、透明シート４を取り外すときに装飾パネル１はフロントパネル５側に保持されていなければならないためである。
【００２１】
次に、装飾パネル１の取り付け方法について説明する。ユーザーは、クッション３の後端部をフロントパネル５の内周部に軽圧入することで、クッション３の後端部をフロントパネル５の内周部に嵌合させる。次に、ユーザーは、装飾パネル１のセパレーター１ａを剥がして粘着材１ｂを露出させて、装飾パネル１をフロントパネル５の前面に取り付ける。このとき、透明シート４は映像表示装置６の前面全体を覆う状態で保持されており、装飾パネル１がクッション３に対して所定の間隔を保った状態で透明シート４に配置されることで、フロントパネル５に対して装飾パネル１が歪むことなく、装飾パネル１を正確な位置に取り付けることができる。
【００２２】
最後に、ユーザーは、透明シート４をフロントパネル５から取り外すことで、クッション３も同時に取り外され、図６と図７に示すように、装飾パネル１のみがフロントパネル５に残る。これにより、ユーザーは、映像表示装置６の意匠を簡単に変更することができる。
【００２３】
このように、リアパネル２１などを取り外すことなく、ネジ止めも不要で、映像表示装置６の意匠を簡単に変更することができる。なお、元の意匠、すなわち、装飾パネル１がない状態に戻す場合は、装飾パネル１をフロントパネル５から取り外すのみで完了する。
【００２４】
さらに、映像表示装置６の意匠を変更する場合、ユーザーは、別の装飾パネルセットを準備しておき、装飾パネル１をフロントパネル５から取り外し後、上記の装飾パネル１の取り付け方法を行う。
【００２５】
クッション３がフロントパネル５に対する位置決めの役割を担っており、装飾パネル１がクッション３に対して所定の間隔を保った状態で透明シート４に配置されることで、フロントパネル５に対して装飾パネル１が歪むことなく、装飾パネル１を正確な位置に取り付けることができる。
【００２６】
仮にフロントパネル５に対して装飾パネル１が歪んだ状態で取り付けられた場合でも、装飾パネル１の粘着材１ｂは適度な粘着強度を有しており、取り付けを何度でもやり直しができる構成となっているため、取り付けのやり直し作業が容易に行える。なお、粘着材１ｂの代わりに微細な吸盤構造を有する部材を採用してもよく、これは既知の技術の１つである。
【００２７】
以上のように、実施の形態１に係る装飾パネルセットは、液晶パネル２０の周縁部を除く部分の前側に配置されるとともに、後端部がフロントパネル５の内周部と着脱可能に構成されたクッション３と、フロントパネル５に着脱可能に取り付けられ、かつ、フロントパネル５の前面を覆う枠状の装飾パネル１と、映像表示装置６の前面を覆うとともに、装飾パネル１に対応する部分が装飾パネル１に着脱可能に取り付けられ、かつ、クッション３に対応する部分がクッション３に固定された透明シート４とを備えた。
【００２８】
したがって、映像表示装置６の意匠を変更する場合、クッション３の後端部がフロントパネル５の内周部に取り付けられることで、装飾パネル１がフロントパネル５に取り付けられる。最後に、透明シート４が装飾パネル１から取り外されることで、クッション３がフロントパネル５から取り外され、装飾パネル１のみがフロントパネル５に残る。これにより、映像表示装置６の意匠を簡単に変更することができる。
【００２９】
また、映像表示装置６の意匠を変更するために、フロントパネル５に取り付けられる種々の装飾パネルセットを準備すればよく、フロントパネル５自体の色を変更する必要はないため、部品コストの上昇を抑制できる。
【００３０】
また、ユーザーは、透明シート４を介して装飾パネル１の位置を確認しながら取り付け作業を行うことができるため作業がしやすいという利点がある。
【００３１】
なお、実施の形態１においては、正面視にて矩形状の液晶パネル２０、すなわち、フロントパネル５が正面視にて矩形状の場合について説明したが、例えば矩形状以外の多角形状、円形状、楕円形状など他の形状であってもよい。この場合、フロントパネル５の形状に合わせて、クッション３、装飾パネル１、および透明シート４の形状を変更することで対応可能である。
【００３２】
＜実施の形態２＞
次に、実施の形態２に係る装飾パネルセットについて説明する。図８は、実施の形態２に係る装飾パネルセットの分解斜視図である。図９は、装飾パネルセットの斜視図である。図１０は、装飾パネルセットのうち上側のものを映像表示装置６に取り付ける途中の状態を示す斜視図である。図１１は、装飾パネルセットのうち上側のものを映像表示装置６に取り付ける途中の状態を示す概略断面図である。図１２は、装飾パネルセットのうち上側のものについてセパレーター７ａを剥がし映像表示装置６に取り付ける途中の状態を示す斜視図である。図１３は、装飾パネルセットのうち上側のものについてセパレーター７ａを剥がし映像表示装置６に取り付ける途中の状態を示す概略断面図である。なお、実施の形態２において、実施の形態１で説明したものと同一の構成要素については同一符号を付して説明は省略する。
【００３３】
図８と図９に示すように、実施の形態２に係る装飾パネルセットは、フロントパネル５の各辺に対応するクッション９と、フロントパネル５の各辺に対応する装飾パネル７と、フロントパネル５の各辺に対応する、光透過性シートとしての透明シート１０とを備えている。
【００３４】
クッション９は、例えば透過性を有する弾性力のある材料により正面視にて矩形状に形成されている。クッション９の長手方向の長さは、液晶パネル２０の周縁部を除く部分における各辺、すなわち、フロントパネル５の枠内の各辺の長さと略同じ長さに形成されている。ここで、液晶パネル２０およびフロントパネル５は正面視にて矩形状に形成されているため、クッション９は、フロントパネル５の枠内の上辺に対応する上側のクッション９と、下辺に対応する下側のクッション９と、左辺に対応する左側のクッション９と、右辺に対応する右側のクッション９とを備えている。
【００３５】
上側および下側のクッション９の形状は同じ形状である。例えば、図１０に示すように、上側のクッション９の長さはフロントパネル５の枠内の上辺の長さと略同じ長さであり、上側のクッション９の幅は左辺または右辺の長さの略１／４の長さである。また、左側および右側のクッション９の形状も同じ形状である。例えば、図１４に示すように、左側のクッション９の長さはフロントパネル５の枠内の左辺の長さと略同じ長さであり、左側のクッション９の幅は上辺または下辺の長さの略１／４の長さである。なお、図１０において、左右方向をＸ軸方向、上下方向をＹ軸方向、前後方向をＺ軸方向として示しており、以降の図面においても同様である。
【００３６】
クッション９は、液晶パネル２０の周縁部を除く部分における各辺の前側に配置されるとともに、後端部がフロントパネル５の各辺の内周部と着脱可能に構成されている。より具体的には、クッション９の後端部は、フロントパネル５の内周部に対して軽圧入により嵌合可能に構成されている。
【００３７】
装飾パネル７は、フロントパネル５の各辺の前面を覆う枠状に形成されている。装飾パネル７の後面には、セパレーター７ａ（図１２参照）を剥がして使用される粘着材７ｂが取り付けられている。これにより、装飾パネル７は、粘着材７ｂを介してフロントパネル５の各辺に着脱可能に取り付けられる。なお、装飾パネル７は、例えばシート状の部材、プラスチックの薄板、または、プラスチックまたは金属材料の押出し部材などで形成されているものとする。ここで、液晶パネル２０およびフロントパネル５は正面視にて矩形状に形成されているため、装飾パネル７は、フロントパネル５の上辺に対応する上側の装飾パネル７と、下辺に対応する下側の装飾パネル７と、左辺に対応する左側の装飾パネル７と、右辺に対応する右側の装飾パネル７とを備えている。さらに、各辺に対応する装飾パネル７の幅および長手方向の長さは、フロントパネル５の各辺の幅および長手方向の長さと略同じ長さにそれぞれ形成されている。
【００３８】
透明シート１０は、透過性を有する材料により形成され、映像表示装置６の各辺の前面を覆うことが可能に、正面視にて各辺に対応するクッション９および装飾パネル７よりも大きな矩形状に形成されている。透明シート１０における各装飾パネル７に対応する部分の後面には、微粘着材８が取り付けられ、透明シート１０における各装飾パネル７に対応する部分が各装飾パネル７の前面に着脱可能に取り付けられる。また、透明シート１０における各クッション９に対応する部分の後面には、粘着材９ａが取り付けられ、透明シート１０におけるクッション９に対応する部分がクッション９の前面に固定されている。
【００３９】
透明シート１０のうちの映像表示装置６の下辺を除く辺、すなわち、上辺、左辺および右辺に対応する透明シート１０は、各装飾パネル７に対応する部分から後方に折り曲げられた折り曲げ部１０ａを有している。ここで、折り曲げ部１０ａを設けた理由について上側のクッション９を例に説明する。図１０と図１１に示すように、上側のクッション９の後端部は、フロントパネル５の内周部の左右方向に対して軽圧入により嵌合可能に構成され、フロントパネル５に取り付けた後はユーザーが手を離しても脱落しない構造となっている。しかしながら、上側のクッション９は上下方向に移動できるため、上側の装飾パネル７がフロントパネル５に対して正しい位置に定まらない状態である。
【００４０】
そこで、上側の透明シート１０に設けられた折り曲げ部１０ａがフロントパネル５およびリアパネル２１の天面部に載ることで、上側の装飾パネル７をフロントパネル５に対して位置決めすることができる。なぜならば、装飾パネル７がフロントパネル５に対して正しい位置に配置されるように、折り曲げ部１０ａの曲げ寸法が設計されているためである。
【００４１】
次に、図１２と図１３に示すように、透明シート１０の折り曲げ部１０ａに設けられたミシン目１０ｂを活用し、折り曲げ部１０ａを切り取ることで、装飾パネル７のセパレーター７ａを剥がしやすくしている。後は露出された粘着材７ｂを介して装飾パネル７がフロントパネル５に取り付けられる。このとき、透明シート１０は映像表示装置６の上辺全体を覆う状態で保持されているため、フロントパネル５に対して装飾パネル７が歪むことなく、装飾パネル７を正確な位置に取り付けることができる。最後に、ユーザーは、透明シート１０をフロントパネル５から取り外すことで、クッション９も同時に取り外され、装飾パネル７のみがフロントパネル５に残る。
【００４２】
詳細の説明は割愛するが、左右側の透明シート１０も上側の透明シート１０と同様の構成となっている。なお、上記のように、下側の透明シート１０については折り曲げ部１０ａを有していない。なぜならば、映像表示装置６を直立させた状態で作業を実施する際、下側のクッション９をフロントパネル５の各辺の内周部に嵌合させた状態では、下側のクッション９の自重により下側の装飾パネル７がフロントパネル５に対して位置が決まるためである。
【００４３】
次に、図１４から図１７を用いて、上側の装飾パネル７の取り付け作業後に行われる左右側および下側の装飾パネル７の取り付け作業の流れを説明する。図１４は、装飾パネルセットのうち左側のものを映像表示装置６に取り付ける途中の状態を示す斜視図である。図１５は、装飾パネルセットのうち右側のものを映像表示装置６に取り付ける途中の状態を示す斜視図である。図１６は、装飾パネルセットのうち下側のものを映像表示装置６に取り付ける途中の状態を示す斜視図である。図１７は、装飾パネルセットの装飾パネル７を映像表示装置６に取り付けた後の状態を示す斜視図である。
【００４４】
図１４に示すように、上側の装飾パネルセットと同様の方法で、左側の装飾パネルセットが取り付けられる。図１５に示すように、上側の装飾パネルセットと同様の方法で、右側の装飾パネルセットが取り付けられる。最後に図１６に示すように、下側の装飾パネルセットが取り付けられる。このとき、下側の透明シート１０には折り曲げ部１０ａが設けられていないため、折り曲げ部１０ａを切り取る必要はない。全ての装飾パネル７の取り付け作業が完了すると、図１７に示すように、フロントパネル５の４つのコーナー部には、装飾パネル７の分割ライン７ｃがそれぞれ形成されている。なお、分割ライン７ｃとは、隣り合う装飾パネル７の間の隙間である。
【００４５】
実施の形態１の場合のように、装飾パネルが一体型だと継ぎ目のない意匠外観で高級感があるものが得られる。その一方で装飾パネルを製作する際、装飾パネルの内側の長方形部分は全て不要で廃棄されるため、所定の基材サイズから部材を取り出す効率が悪く、結果的に部品コスト増となる一長一短の面がある。そこで、装飾パネル７をフロントパネル５の各辺に対応するように分割することにより、所定の基材サイズから部材を取り出す効率を改善することで、装飾パネル７の部品コストを抑制する効果がある。また、販売促進グッズとしてユーザーに装飾パネルセットを提供する場合、ユーザーが持ち帰る際に、装飾パネルセットがコンパクトで運びやすくなるという利点もある。
【００４６】
以上のように、実施の形態２に係る装飾パネルセットは、液晶パネル２０の周縁部を除く部分における各辺の前側に配置されるとともに、後端部がフロントパネル５の各辺の内周部と着脱可能に構成された、各辺に対応するクッション９と、フロントパネル５の各辺に着脱可能に取り付けられ、かつ、フロントパネル５の各辺の前面を覆う、各辺に対応する装飾パネル７と、映像表示装置６の各辺の前面を覆うとともに、各装飾パネル７に対応する部分が各装飾パネル７に着脱可能に取り付けられ、かつ、各クッション９に対応する部分が各クッション９に固定された、各辺に対応する透明シート１０とを備えた。
【００４７】
したがって、実施の形態１の場合と同様に、映像表示装置６の意匠を簡単に変更することができる。また、映像表示装置６の意匠を変更するために、フロントパネル５に取り付けられる種々の装飾パネル７を準備すればよく、フロントパネル５自体の色を変更する必要はないため、部品コストの上昇を抑制できる。
【００４８】
透明シート１０のうちの映像表示装置６の下辺を除く辺に対応する透明シート１０は、各装飾パネル７に対応する部分から後方に折り曲げられた折り曲げ部１０ａを有するため、フロントパネル５の各辺に対応する装飾パネル７をフロントパネル５に対して簡単に位置決めすることができる。
【００４９】
また、装飾パネルセットをフロントパネル５の各辺に対応するように分割することにより、装飾パネル７の部品コストを抑制できるとともに、装飾パネルセットがコンパクトで運びやすくなる。
【００５０】
なお、実施の形態２においては、正面視にて矩形状の液晶パネル２０、すなわち、フロントパネル５が正面視にて矩形状の場合について説明したが、例えば矩形状以外の多角形状など他の形状であってもよい。この場合、フロントパネル５の形状に合わせて、クッション９、装飾パネル７、および透明シート１０の形状および個数を変更することで対応可能である。
【００５１】
＜実施の形態３＞
次に、実施の形態３に係る装飾パネルセットについて説明する。図１８は、実施の形態３に係る装飾パネルセットの斜視図である。図１９は、装飾パネルセットのうち上側のものを映像表示装置６に取り付ける途中の状態を示す概略断面図である。図２０は、装飾パネルセットのうち上側のものについてセパレーター７ａを剥がし映像表示装置６に取り付ける途中の状態を示す斜視図である。図２１は、装飾パネルセットのうち上側のものについてセパレーター７ａを剥がし映像表示装置６に取り付ける途中の状態を示す概略断面図である。なお、実施の形態３において、実施の形態１，２で説明したものと同一の構成要素については同一符号を付して説明は省略する。
【００５２】
図１８と図１９に示すように、実施の形態３では、フロントパネル５の各辺に対応する透明シート１０の折り曲げ部１０ａに粘着材１０ｃがそれぞれ設けられている。より具体的には、上側、左側および右側の透明シート１０の折り曲げ部１０ａに粘着材１０ｃが設けられている。さらに、下側の透明シート１０には折り曲げ部１０ａは設けられていないが、下側の透明シート１０の下端部に粘着材１０ｃが設けられている。
【００５３】
また、フロントパネル５の各辺に対応するクッション９におけるフロントパネル５の内周部に嵌合される部分に、テーパー部９ｂがそれぞれ設けられている。フロントパネル５の内周部にもテーパー部５ｂが設けられており、テーパー部９ｂは、フロントパネル５の内周部のテーパー部５ｂと同じ角度のテーパー形状に形成されている。これにより、テーパー部９ｂは、フロントパネル５の内周部のテーパー部５ｂに係合可能である。
【００５４】
次に、上側の装飾パネルの取り付け作業について説明する。図１９に示すように、先ず、ユーザーは、粘着材９ａを介して透明シート１０に固定されたクッション９を、フロントパネル５の内周部に軽圧入して嵌合させる。このとき、透明シート１０に設けられた折り曲げ部１０ａがフロントパネル５およびリアパネル２１の天面部に載り、さらに粘着材１０ｃがフロントパネル５に仮接着されることで、装飾パネル７をフロントパネル５に対して位置決めすることができる。
【００５５】
次に、図２０と図２１に示すように、ユーザーは、透明シート１０をめくり上げて、装飾パネル７のセパレーター７ａを剥がし粘着材７ｂを露出させ、装飾パネル７をフロントパネル５に取り付ける。このとき、透明シート１０をめくり上げることができるのは、折り曲げ部１０ａがフロントパネル５およびリアパネル２１の天面部に載り、さらに粘着材１０ｃがフロントパネル５に仮接着されているためである。また、クッション９のテーパー部９ｂがフロントパネル５の内周部のテーパー部５ｂに係合することで、フロントパネル５に対して装飾パネル７が歪むことなく、装飾パネル７を正確な位置に取り付けることができる。なぜならば、上記のように、クッション９のテーパー部９ｂは、フロントパネル５の内周部のテーパー部５ｂと同じ角度を有するように設計されているためである。最後に、ユーザーは、透明シート１０をフロントパネル５から取り外すことで、クッション９も同時に取り外され、装飾パネル７のみがフロントパネル５に残る。
【００５６】
以上のように、実施の形態３に係る装飾パネルセットでは、各透明シート１０の折り曲げ部１０ａに粘着材１０ｃが設けられたため、折り曲げ部１０ａがフロントパネル５およびリアパネル２１に固定された状態で装飾パネルセットの取り付け作業を行うことができるうえ、透明シート１０に設けられた折り曲げ部１０ａを切り取る必要がない。これにより、実施の形態２の場合に比べると、装飾パネル７の取り付け作業を効率的に行うことができる。
【００５７】
また、フロントパネル５の内周部のテーパー部５ｂと係合可能なテーパー部９ｂをクッション９に設けたため、フロントパネル５に対する装飾パネル７の位置決めをさらに正確に行うことができる。
【００５８】
なお、実施の形態３においては、正面視にて矩形状の液晶パネル２０、すなわち、フロントパネル５が正面視にて矩形状の場合について説明したが、例えば矩形状以外の多角形状など他の形状であってもよい。この場合、フロントパネル５の形状に合わせて、クッション９、装飾パネル７、および透明シート１０の形状および個数を変更することで対応可能である。
【００５９】
＜実施の形態４＞
次に、実施の形態４に係る装飾パネルセットについて説明する。図２２は、実施の形態４に係る装飾パネルセットの分解斜視図である。図２３は、装飾パネルセットの斜視図である。図２４は、装飾パネルセットを映像表示装置６に取り付ける前の状態を示す斜視図である。図２５は、装飾パネルセットを映像表示装置６に取り付けた後の状態を示す斜視図である。なお、実施の形態４において、実施の形態１〜３で説明したものと同一の構成要素については同一符号を付して説明は省略する。
【００６０】
図２２〜図２５に示すように、実施の形態４に係る装飾パネルセットは、フロントパネル５の各辺に対応するクッション１１，１２，１３と、フロントパネル５の各辺に対応する装飾パネル７と、フロントパネル５の各辺に対応する透明シート１０とを備えている。
【００６１】
各クッション１１，１２，１３は、隣り合うクッション同士が係合するように構成されている。このことについて詳細に説明する。フロントパネル５の上辺に対応するクッション１１の左右両端部には下方に開口する正面視にてＴ字状の凹部１１ａが設けられ、フロントパネル５の下辺に対応するクッション１３の左右両端部には上方に開口する正面視にてＴ字状の凹部１３ａが設けられている。フロントパネル５の左辺および右辺に対応するクッション１２の上端部には上方に突出する正面視にてＴ字状の凸部１２ａがそれぞれ設けられ、２つの凸部１２ａはクッション１２の左右両端部に設けられた凹部１１ａにそれぞれ係合可能である。フロントパネル５の左辺および右辺に対応するクッション１１の下端部には下方に突出する正面視にてＴ字状の凸部１２ａがそれぞれ設けられ、２つの凸部１２ａはクッション１３の左右両端部に設けられた凹部１３ａにそれぞれ係合可能である。
【００６２】
図２４に示すように、フロントパネル５の上辺に対応するクッション１１と、フロントパネル５の左辺および右辺に対応するクッション１２と、フロントパネル５の下辺に対応するクッション１３とが係合することで、４つのクッション１１，１２，１３は簡易的な額縁構成となる。これにより、４つのクッション１１，１２，１３は、フロントパネル５の内周部に嵌合しやすくなるとともに、装飾パネル７をフロントパネル５に位置決めすることができる。
【００６３】
ユーザーは、４つのクッション１１，１２，１３を係合させた状態で、フロントパネル５の内周部に軽圧入して嵌合させる。後の作業は、透明シート１０についてミシン目１０ｂを用いて折曲げ部１０ａを切り取ること以外、実施の形態２で説明した内容と同一なため詳細を割愛する。最終的には図２５に示す状態となり、一連の作業が完了する。
【００６４】
なお、凸部１２ａ、および凹部１１ａ，１３ａは、正面視にてＴ字状以外の形状であってもよく、例えば球状または直方体状など、４つのクッション１１，１２，１３の左右方向および上下方向の位置が決まる形状であればよい。また、実施の形態４においては、透明シート１０には折り曲げ部１０ａが設けられていない。なぜならば、４つのクッション１１，１２，１３を係合させた状態で、フロントパネル５の内周部の四辺全体に軽圧入することで４つのクッション１１，１２，１３の左右方向および上下方向の位置が決まるためである。
【００６５】
以上のように、実施の形態４に係る装飾パネルセットは、液晶パネル２０の周縁部を除く部分における各辺の前側に配置されるとともに、後端部がフロントパネル５の各辺の内周部と着脱可能に構成された、各辺に対応するクッション１１，１２，１３と、フロントパネル５の各辺に着脱可能に取り付けられ、かつ、フロントパネル５の各辺の前面を覆う、各辺に対応する装飾パネル７と、映像表示装置６の各辺の前面を覆うとともに、各装飾パネル７に対応する部分が各装飾パネル７に着脱可能に取り付けられ、かつ、各クッション１１，１２，１３に対応する部分が各クッション１１，１２，１３に固定された、各辺に対応する透明シート１０とを備えた。
【００６６】
したがって、実施の形態１の場合と同様に、映像表示装置６の意匠を簡単に変更することができる。また、映像表示装置６の意匠を変更するために、フロントパネル５に取り付けられる種々の装飾パネル７を準備すればよく、フロントパネル５自体の色を変更する必要はないため、部品コストの上昇を抑制できる。
【００６７】
各クッション１１，１２，１３は、隣り合うクッション同士が係合するように構成されたため、クッション１１，１２，１３を係合させた状態で、フロントパネル５の内周部に軽圧入させやすくなり、装飾パネル７をフロントパネル５の内周部に対して容易に位置決めすることができる。
【００６８】
また、実施の形態２の場合と同様に、装飾パネルセットをフロントパネル５の各辺に対応するように分割することにより、装飾パネル７の部品コストを抑制できるとともに、装飾パネルセットがコンパクトで運びやすくなる。
【００６９】
なお、実施の形態４においては、正面視にて矩形状の液晶パネル２０、すなわち、フロントパネル５が正面視にて矩形状の場合について説明したが、例えば矩形状以外の多角形状など他の形状であってもよい。この場合、フロントパネル５の形状に合わせて、クッション１１，１２，１３、装飾パネル７、および透明シート１０の形状および個数を変更することで対応可能である。
【００７０】
＜実施の形態５＞
次に、実施の形態５に係る装飾パネルセットについて説明する。図２６は、実施の形態５に係る装飾パネルセットの分解斜視図である。図２７は、装飾パネルセットを映像表示装置６のスタンド１８に取り付ける前の状態を示す斜視図である。図２８は、装飾パネルセットを映像表示装置６のスタンド１８に取り付けた後の状態を示す斜視図である。図２９は、装飾パネルセットを映像表示装置６のスタンド１８に取り付けた後の状態を示す概略断面図である。図３０は、装飾パネルセットの装飾パネル１４を映像表示装置６のスタンド１８に取り付けた後の状態を示す斜視図である。図３１は、装飾パネルセットの装飾パネル１４を映像表示装置６のスタンド１８に取り付けた後の状態を示す概略断面図である。図３２は、装飾パネルセットの装飾パネル１４の打ち抜きイメージを示す斜視図である。図３３は、装飾パネルセットの装飾パネル３０，３１の打ち抜きイメージを示す斜視図である。なお、実施の形態５において、実施の形態１〜４で説明したものと同一の構成要素については同一符号を付して説明は省略する。
【００７１】
図３２に示すように、実施の形態５では、装飾パネル１の基材１９の余白部分を活用して、スタンド用装飾パネル１４が製作されている。図２６〜図２８に示すように、スタンド用装飾パネルセットは、スタンド用装飾パネル１４、スタンド用微粘着材１５、スタンド用クッション１６およびスタンド用透明シート１７を備えており、スタンド用装飾パネル１４をスタンド１８に取り付けることで、映像表示装置６のスタンド１８の意匠を変更する。
【００７２】
図２６と図２７に示すように、スタンド用クッション１６は、例えば弾性力のある材料により平面視にてコ字状に形成され、後方に開口する凹部１６ａを備えている。凹部１６ａは、スタンド１８の前側部分と軽圧入により嵌合可能に、スタンド１８の前側部分の外形と略同じ大きさに形成されている。
【００７３】
スタンド用装飾パネル１４およびスタンド用微粘着材１５はともに、平面視にて矩形状に形成され、スタンド１８の前側部分の平面視輪郭と略同じ大きさに形成されている。スタンド用装飾パネル１４は、例えばプラスチックまたは金属材料の押出し部材などで形成されている。
【００７４】
スタンド用装飾パネル１４は、スタンド用微粘着材１５を介して、スタンド用透明シート１７におけるスタンド用クッション１６の凹部１６ａに対応する位置に取り付けられている。スタンド用透明シート１７におけるスタンド用クッション１６に対応する部分は、粘着材１６ｂを介してスタンド用クッション１６の上面に固定されている。スタンド用透明シート１７は、透過性を有する材料により形成されている。また、図２９に示すように、スタンド用クッション１６の上面の高さ位置は、スタンド１８の上部１８ａの下端よりも低くなっており、スタンド用クッション１６の上面に取り付けられたスタンド用透明シート１７を取り外す際の邪魔にならない。
【００７５】
次に、スタンド用装飾パネル１４の取り付け方法について説明する。図２９に示すように、先ず、ユーザーは、粘着材１６ｂを介してスタンド用透明シート１７に固定されたスタンド用クッション１６をスタンド１８に嵌合させる。その後、ユーザーは、スタンド用装飾パネル１４のセパレーター１４ａを剥がし、粘着材１４ｂを露出させ、スタンド１８に取り付ける。このとき、スタンド用透明シート１７はスタンド１８の前側部分を覆う状態で保持されているため、スタンド１８に対してスタンド用装飾パネル１４が歪むことなく、スタンド用装飾パネル１４を正確な位置に取り付けることができる。
【００７６】
図２８〜図３１に示すように、最後に、スタンド用透明シート１７をスタンド１８から取り外せば、スタンド用クッション１６も同時に取り外され、スタンド用装飾パネル１４のみがスタンド１８に残り、手軽にスタンド１８の意匠を変更することができる。
【００７７】
映像表示装置６を支持するスタンド１８の前側部分の平面視輪郭は、装飾パネル１の内周部の正面視輪郭よりも小さい。そのため、図３２に示すように、装飾パネル１の基材１９の余白部分を活用してスタンド用装飾パネル１４を製作することができる。本来ならば廃棄する基材でスタンド１８へ取り付けるスタンド用装飾パネル１４を製作するため、材料の無駄が省け、装飾パネルセットの部品コストを低減することができる。なお、基材１９には、装飾パネル１，１４を打ち抜いたことで、穴１ａ，１４ａが形成されている。
【００７８】
また、本実施の形態５では、装飾パネル１の基材１９の余白部分からスタンド１８に取り付けられるスタンド用装飾パネル１４を製作する場合を例にして説明したが、スタンド１８に限らず他の箇所に取り付けられる装飾パネルを製作しても構わない。例えば、図３３に示すように、画面サイズが小さい画像表示装置であれば、装飾パネル１とは別形状の装飾パネル３０，３１を製作することが可能である。なお、基材１９には、装飾パネル１，３０，３１を打ち抜いたことで、穴１ａ，３０ａ，３１ａが形成されている。これにより、材料の無駄が省け、装飾パネルセットの部品コストを低減することができる。さらに、装飾パネルの画面サイズ別のラインナップが可能となり、営業戦略上で有効な手段となる。
【００７９】
以上のように、実施の形態５に係る装飾パネルセットでは、映像表示装置６を支持するスタンド１８の前側部分の平面視輪郭は、装飾パネル１の内周部の正面視輪郭よりも小さいため、装飾パネル１の基材１９の余白部分を活用してスタンド用装飾パネル１４を製作することができる。
【００８０】
なお、本発明は、その発明の範囲内において、各実施の形態を自由に組み合わせたり、各実施の形態を適宜、変形、省略することが可能である。
【符号の説明】
【００８１】
１  装飾パネル、３  クッション、４  透明シート、５  フロントパネル、６  映像表示装置、７  装飾パネル、９  クッション、１０  透明シート、１０ａ  折り曲げ部、１０ｃ  粘着材、１１，１２，１３  クッション、１８  スタンド、２０  液晶パネル、２１  リアパネル。
【図１】
2018054873.tif 000003
【図２】
2018054873.tif 000004
【図３】
2018054873.tif 000005
【図４】
2018054873.tif 000006
【図５】
2018054873.tif 000007
【図６】
2018054873.tif 000008
【図７】
2018054873.tif 000009
【図８】
2018054873.tif 000010
【図９】
2018054873.tif 000011
【図１０】
2018054873.tif 000012
【図１１】
2018054873.tif 000013
【図１２】
2018054873.tif 000014
【図１３】
2018054873.tif 000015
【図１４】
2018054873.tif 000016
【図１５】
2018054873.tif 000017
【図１６】
2018054873.tif 000018
【図１７】
2018054873.tif 000019
【図１８】
2018054873.tif 000020
【図１９】
2018054873.tif 000021
【図２０】
2018054873.tif 000022
【図２１】
2018054873.tif 000023
【図２２】
2018054873.tif 000024
【図２３】
2018054873.tif 000025
【図２４】
2018054873.tif 000026
【図２５】
2018054873.tif 000027
【図２６】
2018054873.tif 000028
【図２７】
2018054873.tif 000029
【図２８】
2018054873.tif 000030
【図２９】
2018054873.tif 000031
【図３０】
2018054873.tif 000032
【図３１】
2018054873.tif 000033
【図３２】
2018054873.tif 000034
【図３３】
2018054873.tif 000035